(57)【要約】【課題】  カメラ付きの携帯電話端末で撮像された画像を比較的簡単な処理で分類整理する。【解決手段】携帯電話端末３１は、撮像操作が行われたときに画像を取り込む撮像手段を有し、同撮像手段で取り込まれた画像を画像データに変換する。携帯電話端末３１は、撮像操作が行われたとき、画像データを予め設定された画像分類基準に基づいて分類して情報サーバ装置３２１，３２２，…，３２１６の各ネットワークアドレスのうちの同設定された画像分類基準に対応するネットワークアドレスへ送信する。情報サーバ装置３２１，３２２，…，３２１６は、たとえばデータを格納して管理するサービス会社などに設置され、ネットワークアドレスがそれぞれ割り付けられ、携帯電話端末３１から送信された画像データをインターネットＮＷを介して受信して格納する。【選択図】図１
2005165499.tif 000002
【特許請求の範囲】
【請求項１】
撮像操作が行われたときに画像を取り込む撮像手段を有し、該撮像手段で取り込まれた前記画像を画像データに変換する携帯電話端末と、
アドレスがそれぞれ割り付けられ、前記画像データを通信回線を介して受信して格納するための１つ又は複数の画像データ格納手段とを備えてなる画像管理システムであって、
前記携帯電話端末で前記撮像操作が行われたとき、前記画像データを予め設定された画像分類基準に基づいて分類して前記各アドレスのうちの該画像分類基準に対応するアドレスへ格納する構成とされていることを特徴とする画像管理システム。
【請求項２】
前記各画像データ格納手段は、
ネットワークアドレスがそれぞれ割り付けられ、前記画像データを前記通信回線を介して受信して格納する情報サーバ装置で構成され、
前記携帯電話端末は、
前記撮像操作が行われたとき、前記画像データを予め設定された画像分類基準に基づいて分類して前記各ネットワークアドレスのうちの該画像分類基準に対応するネットワークアドレスへ送信する構成とされていることを特徴とする請求項１記載の画像管理システム。
【請求項３】
前記携帯電話端末は、
前記撮像操作が行われるときの予め設定された複数の画像分類基準にそれぞれ対応付けて前記各情報サーバ装置の前記ネットワークアドレスが記憶された記憶手段と、
前記撮像操作が行われたとき、前記画像データを前記設定された画像分類基準に基づいて分類して該画像分類基準に対応する前記ネットワークアドレスへ送信する制御手段が設けられていることを特徴とする請求項２記載の画像管理システム。
【請求項４】
前記各情報サーバ装置に割り付けられたネットワークアドレスは、メールアドレスであり、
前記制御手段は、
前記画像データを前記設定された画像分類基準に対応する前記メールアドレスへ電子メールとして送信する構成とされていることを特徴とする請求項３記載の画像管理システム。
【請求項５】
前記携帯電話端末は、
互いに係合された第１及び第２の筐体を有し、
前記第１の筐体に対する前記第２の筐体の係止状態を検出する筺体状態検出部が設けられ、
前記制御手段は、
前記撮像操作が行われたときの前記係止状態の検出結果に基づいて前記画像データを分類する構成とされていることを特徴とする請求項３又は４記載の画像管理システム。
【請求項６】
前記携帯電話端末は、
前記撮像手段が複数設けられ、
前記制御手段は、
前記各撮像手段のうちの前記撮像操作が行われたときに動作した撮像手段に基づいて前記画像データを分類する構成とされていることを特徴とする請求項３又は４記載の画像管理システム。
【請求項７】
前記携帯電話端末は、
前記各撮像手段を操作するための複数の撮像操作子が設けられ、
前記制御手段は、
前記各撮像操作子のうちの前記撮像操作が行われたときに操作された撮像操作子に基づいて前記画像データを分類する構成とされていることを特徴とする請求項３又は４記載の画像管理システム。
【請求項８】
前記携帯電話端末は、
当該携帯電話端末の現在位置を検出する位置検出部が設けられ、
前記制御手段は、
前記位置検出部で検出された当該携帯電話端末の現在位置に基づいて前記画像データを分類する構成とされていることを特徴とする請求項３又は４記載の画像管理システム。
【請求項９】
前記携帯電話端末は、
通話中であるか否かを検出する通話状態検出手段が設けられ、
通話中に前記撮像操作が行われたとき、前記ネットワークアドレスよりも通話先を優先して前記画像データを送信する構成とされていることを特徴とする請求項２記載の画像管理システム。
【請求項１０】
前記各画像データ格納手段は、
前記画像データを前記通信回線を介して受信する情報サーバ装置に設けられ、該画像データを格納するデータ記憶領域で構成され、
前記携帯電話端末は、
前記撮像操作が行われたとき、前記画像データを予め設定された画像分類基準を付加して前記情報サーバ装置へ送信する構成とされ、
前記情報サーバ装置は、
前記画像データを前記画像分類基準に基づいて分類して該画像分類基準に対応する前記データ記憶領域へ格納する画像分類制御手段が設けられていることを特徴とする請求項１記載の画像管理システム。
【請求項１１】
前記携帯電話端末は、
互いに係合された第１及び第２の筐体を有し、
前記第１の筐体に対する前記第２の筐体の係止状態を検出する筺体状態検出部と、
前記撮像操作が行われたときの前記係止状態の検出結果を前記設定された条件として前記情報サーバ装置へ送信する制御手段とが設けられ、
前記情報サーバ装置の前記画像分類制御手段は、
前記係止状態の検出結果に基づいて前記画像データを分類して当該の前記データ記憶領域へ格納する構成とされていることを特徴とする請求項１０記載の画像管理システム。
【請求項１２】
前記携帯電話端末は、
複数の前記撮像手段と、
前記各撮像手段のうちの前記撮像操作が行われたときに動作した撮像手段を表す情報を前記設定された画像分類基準として前記情報サーバ装置へ送信する制御手段とが設けられ、
前記情報サーバ装置の前記画像分類制御手段は、
前記動作した撮像手段を表す情報に基づいて前記画像データを分類して当該の前記データ記憶領域へ格納する構成とされていることを特徴とする請求項１０記載の画像管理システム。
【請求項１３】
前記携帯電話端末は、
前記各撮像手段を操作するための複数の撮像操作子と、
前記各撮像操作子のうちの前記撮像操作が行われたときに操作された前記撮像操作子を表す情報を前記設定された画像分類基準として前記情報サーバ装置へ送信する制御手段とが設けられ、
前記情報サーバ装置の前記画像分類制御手段は、
前記操作された撮像操作子を表す情報に基づいて前記画像データを分類して当該の前記データ記憶領域へ格納する構成とされていることを特徴とする請求項１０記載の画像管理システム。
【請求項１４】
前記携帯電話端末は、
当該携帯電話端末の現在位置を検出する位置検出部と、
該位置検出部で検出された当該携帯電話端末の現在位置を表す情報を前記設定された画像分類基準として前記情報サーバ装置へ送信する制御手段とが設けられ、
前記情報サーバ装置の前記画像分類制御手段は、
前記現在位置を表す情報に基づいて前記画像データを分類して当該の前記データ記憶領域へ格納する構成とされていることを特徴とする請求項１０記載の画像管理システム。
【請求項１５】
撮像操作が行われたときに画像を取り込む撮像手段を有し、該撮像手段で取り込まれた前記画像を画像データに変換する携帯電話端末であって、
前記撮像操作が行われたとき、前記画像データを予め設定された画像分類基準に基づいて分類して通信回線を介して該画像分類基準に対応するアドレスへ送信する構成とされていることを特徴とする携帯電話端末。
【請求項１６】
撮像操作が行われたときに画像を取り込む撮像手段を有し、該撮像手段で取り込まれた前記画像を画像データに変換する携帯電話端末と、
アドレスがそれぞれ割り付けられ、前記画像データを通信回線を介して受信して格納するための複数の画像データ格納手段とを備えてなる画像管理システムに用いられ、
前記携帯電話端末で前記撮像操作が行われたとき、前記画像データを予め設定された画像分類基準に基づいて分類して前記各アドレスのうちの該画像分類基準に対応するアドレスへ送信する画像データ分類送信処理を行うことを特徴とする画像管理方法。
【請求項１７】
前記各画像データ格納手段を、ネットワークアドレスがそれぞれ割り付けられ、前記画像データを前記通信回線を介して受信して格納する情報サーバ装置で構成しておき、
前記撮像操作が行われたとき、前記携帯電話端末が、前記画像データを予め設定された画像分類基準に基づいて分類して前記各ネットワークアドレスのうちの該画像分類基準に対応するネットワークアドレスへ送信する画像データ分類送信処理を行うことを特徴とする請求項１６記載の画像管理方法。
【請求項１８】
前記各画像データ格納手段を、前記画像データを前記通信回線を介して受信する情報サーバ装置に設けられ、該画像データを格納するデータ記憶領域で構成しておき、
前記撮像操作が行われたとき、前記携帯電話端末が、前記画像データを予め設定された画像分類基準を付加して前記情報サーバ装置へ送信する画像データ送信処理と、
前記情報サーバ装置が、前記画像データを前記画像分類基準に基づいて分類して該画像分類基準に対応する前記データ記憶領域へ格納する画像データ分類格納処理とを行うことを特徴とする請求項１６記載の画像管理方法。
【請求項１９】
コンピュータに請求項１乃至１４記載の画像管理システムの処理を実現させるための画像管理制御プログラム。
【発明の詳細な説明】
【技術分野】
【０００１】
この発明は、画像管理システム、該システムに用いられる携帯電話端末、画像管理方法及び画像管理制御プログラムに係り、たとえば、カメラ付きの携帯電話端末で撮像された画像のデータ容量が同携帯電話端末のメモリ容量を越える場合に用いて好適な画像管理システム、該システムに用いられる携帯電話端末、画像管理方法及び画像管理制御プログラムに関する。
【背景技術】
【０００２】
携帯電話端末は、近年では、カメラ付きでかつ折り畳み式の筐体を有するものが広く普及している。このような携帯電話端末では、通常の音声通話に加え、カメラによって撮像された画像が表示部に表示され、また、画像の送信操作が行われたとき、送信先の端末（たとえば、携帯電話端末やパーソナルコンピュータなど）へ送信される。
【０００３】
この種の携帯電話端末は、従来では、たとえば図８に示すものがあった。
同図に示すように、この携帯電話端末１０は、アンテナ１１と、無線通信部１２と、マイク１３と、カメラ部１４と、スピーカ１５と、画像記憶部１６と、操作キー１７と、ＬＣＤ（Liquid Crystal Display）１８と、シヤッターキー１９と、制御部２０とから構成されている。アンテナ１１は、図示しない無線基地局との間で電波Ｗを送受信する。無線通信部１２は、図示しない受信回路、送信回路及び周波数シンセサイザなどを有している。マイク１３は、ユーザの音声を受けて送話を行う。カメラ部１４は、携帯電話端末１０の周辺の画像を取り込む。スピーカ１５は、各種の情報に対応した音声を発生する。
【０００４】
画像記憶部１６は、携帯電話端末１０に内蔵されたＲＡＭ（Randam Access Memory）などのメモリや着脱可能なメモリーカードなどで構成され、カメラ部１４により取り込まれた画像を記憶する。操作キー１７は、送信キー、英字／カナ／漢字／数字の変換キー、電源のオン／オフキー、カーソル操作を行うための十文字キー、及び終了キーなどから構成されている。ＬＣＤ１８は、通常の音声通話では、たとえば、相手先の電話番号情報やアイコン情報など、諸々の情報を表示し、また、画像記憶部１６に記憶されている画像を表示する。シヤッターキー１９は、ユーザの撮像操作によりカメラ部１４の動作を制御する。制御部２０は、携帯電話端末１０全体を制御する。
【０００５】
また、携帯電話端末１０は、図９に示すように、ユニット２１と、ユニット２２と、ヒンジ部２３とを備えている。ユニット２１は、前面にスピーカ１５及びＬＣＤ１８、側面にシヤッターキー１９を備えている。ユニット２２は、前面にマイク１３及び操作キー１７を備えている。また、図１０に示すように、ユニット２１は、背面にカメラ部１４が組み込まれている。そして、ユニット２１の前面とユニット２２の前面とが向かい合う態様で同ユニット２１と同ユニット２２とがヒンジ部２３を介して折り畳まれるように構成されている。
【０００６】
この携帯電話端末１０では、通常の音声通話が行われる他、ユーザの撮像操作によりシヤッターキー１９が押下されたとき、カメラ部１４により携帯電話端末１０の周辺の画像が取り込まれる。取り込まれた画像は、画像記憶部１６に記憶されると共に、ＬＣＤ１８に表示される。また、取り込まれた画像は、同画像の送信操作が行われたとき、送信先の端末（たとえば、携帯電話端末やパーソナルコンピュータなど）へ送信される。シヤッターキー１９が押下される場合、ユニット２１とユニット２２とは、折り畳まれた状態（閉状態）でも、折り畳まれていない状態（開状態）でも良い。
【０００７】
上記の携帯電話端末の他、従来、この種の技術としては、たとえば、次のような文献に記載されるものがあった。
特許文献１に記載されたデータ送受信装置では、限られたデータ記憶容量しかもたないデジタルカメラなどのモバイル端末により撮影された画像が画像データに変換されて記憶され、同画像データがネットワークを介して予め決められた所定の装置に送信されて保管される。また、デジタルカメラで所定の呼び出し操作が行われたとき、画像データが所定の装置からデジタルカメラにダウンロードされて記憶される。このため、モバイル端末のユーザは、上記所定の装置を画像データの一時保管場所として利用できるので、画像データの容量を気にすることなく撮影を行うことができる。また、画像データの送信元としてモバイル端末が複数ある場合、各画像データが上記所定の装置で送信元別に分類されて保管される。
【０００８】
特許文献２に記載された画像伝送システムでは、電子カメラで取得された画像データは、識別情報が付加されてインターネットを介してサーバにアップロードされ、保存される。また、保存されている画像データは、電子カメラで所定の操作が行われたときにサーバから同電子カメラにダウンロードされる。
【特許文献１】特開平１１−１４６０８４号公報（第１頁、図５）
【特許文献２】特開２００３−１７９８４０号公報（第１頁、図１６）
【発明の開示】
【発明が解決しようとする課題】
【０００９】
しかしながら、上記従来の携帯電話端末では、次のような問題点があった。
すなわち、図８の携帯電話端末１０では、カメラ部１４により取り込まれた画像が画像記憶部１６に記憶されるが、同画像記憶部１６はＲＡＭやメモリーカードで構成されているため、記憶容量に限度ががあり、また画像を他の記録媒体（たとえば、パーソナルコンピュータのハードディスクなど）に移す場合も、繁雑な操作を必要とするという問題点がある。
【００１０】
また、特許文献１に記載された画像伝送システムは、画像データが内容に基づいて分類整理されるものではないため、ユーザにとってデータ整理に手間がかかるという問題点がある。
【００１１】
特許文献２に記載されたデータ送受信装置では、各画像データが所定の装置で送信元別に分類されて保管されるが、内容に基づいて分類整理されるものではないため、ユーザにとってデータ整理に手間がかかるという問題点がある。
【課題を解決するための手段】
【００１２】
上記課題を解決するために、請求項１記載の発明は、撮像操作が行われたときに画像を取り込む撮像手段を有し、該撮像手段で取り込まれた前記画像を画像データに変換する携帯電話端末と、アドレスがそれぞれ割り付けられ、前記画像データを通信回線を介して受信して格納するための１つ又は複数の画像データ格納手段とを備えてなる画像管理システムに係り、前記携帯電話端末で前記撮像操作が行われたとき、前記画像データを予め設定された画像分類基準に基づいて分類して前記各アドレスのうちの該画像分類基準に対応するアドレスへ格納する構成とされていることを特徴としている。
【００１３】
請求項２記載の発明は、請求項１記載の画像管理システムに係り、前記各画像データ格納手段は、ネットワークアドレスがそれぞれ割り付けられ、前記画像データを前記通信回線を介して受信して格納する情報サーバ装置で構成され、前記携帯電話端末は、前記撮像操作が行われたとき、前記画像データを予め設定された画像分類基準に基づいて分類して前記各ネットワークアドレスのうちの該画像分類基準に対応するネットワークアドレスへ送信する構成とされていることを特徴とすることを特徴としている。
【００１４】
請求項３記載の発明は、請求項２記載の画像管理システムに係り、前記携帯電話端末は、前記撮像操作が行われるときの予め設定された複数の画像分類基準にそれぞれ対応付けて前記各情報サーバ装置の前記ネットワークアドレスが記憶された記憶手段と、前記撮像操作が行われたとき、前記画像データを前記設定された画像分類基準に基づいて分類して該画像分類基準に対応する前記ネットワークアドレスへ送信する制御手段が設けられていることを特徴としている。
【００１５】
請求項４記載の発明は、請求項３記載の画像管理システムに係り、前記各情報サーバ装置に割り付けられたネットワークアドレスは、メールアドレスであり、前記制御手段は、前記画像データを前記設定された画像分類基準に対応する前記メールアドレスへ電子メールとして送信する構成とされていることを特徴としている。
【００１６】
請求項５記載の発明は、請求項３又は４記載の画像管理システムに係り、前記携帯電話端末は、互いに係合された第１及び第２の筐体を有し、前記第１の筐体に対する前記第２の筐体の係止状態を検出する筺体状態検出部が設けられ、前記制御手段は、前記撮像操作が行われたときの前記係止状態の検出結果に基づいて前記画像データを分類する構成とされていることを特徴としている。
【００１７】
請求項６記載の発明は、請求項３又は４記載の画像管理システムに係り、前記携帯電話端末は、前記撮像手段が複数設けられ、前記制御手段は、前記各撮像手段のうちの前記撮像操作が行われたときに動作した撮像手段に基づいて前記画像データを分類する構成とされていることを特徴としている。
【００１８】
請求項７記載の発明は、請求項３又は４記載の画像管理システムに係り、前記携帯電話端末は、前記各撮像手段を操作するための複数の撮像操作子が設けられ、前記制御手段は、前記各撮像操作子のうちの前記撮像操作が行われたときに操作された撮像操作子に基づいて前記画像データを分類する構成とされていることを特徴としている。
【００１９】
請求項８記載の発明は、請求項３又は４記載の画像管理システムに係り、前記携帯電話端末は、当該携帯電話端末の現在位置を検出する位置検出部が設けられ、前記制御手段は、前記位置検出部で検出された当該携帯電話端末の現在位置に基づいて前記画像データを分類する構成とされていることを特徴としている。
【００２０】
請求項９記載の発明は、請求項２記載の画像管理システムに係り、前記携帯電話端末は、通話中であるか否かを検出する通話状態検出手段が設けられ、通話中に前記撮像操作が行われたとき、前記ネットワークアドレスよりも通話先を優先して前記画像データを送信する構成とされていることを特徴としている。
【００２１】
請求項１０記載の発明は、請求項１記載の画像管理システムに係り、前記各画像データ格納手段は、前記画像データを前記通信回線を介して受信する情報サーバ装置に設けられ、該画像データを格納するデータ記憶領域で構成され、前記携帯電話端末は、前記撮像操作が行われたとき、前記画像データを予め設定された画像分類基準を付加して前記情報サーバ装置へ送信する構成とされ、前記情報サーバ装置は、前記画像データを前記画像分類基準に基づいて分類して該画像分類基準に対応する前記データ記憶領域へ格納する画像分類制御手段が設けられていることを特徴としている。
【００２２】
請求項１１記載の発明は、請求項１０記載の画像管理システムに係り、前記携帯電話端末は、互いに係合された第１及び第２の筐体を有し、前記第１の筐体に対する前記第２の筐体の係止状態を検出する筺体状態検出部と、前記撮像操作が行われたときの前記係止状態の検出結果を前記設定された条件として前記情報サーバ装置へ送信する制御手段とが設けられ、前記情報サーバ装置の前記画像分類制御手段は、前記係止状態の検出結果に基づいて前記画像データを分類して当該の前記データ記憶領域へ格納する構成とされていることを特徴としている。
【００２３】
請求項１２記載の発明は、請求項１０記載の画像管理システムに係り、前記携帯電話端末は、複数の前記撮像手段と、前記各撮像手段のうちの前記撮像操作が行われたときに動作した撮像手段を表す情報を前記設定された画像分類基準として前記情報サーバ装置へ送信する制御手段とが設けられ、前記情報サーバ装置の前記画像分類制御手段は、前記動作した撮像手段を表す情報に基づいて前記画像データを分類して当該の前記データ記憶領域へ格納する構成とされていることを特徴としている。
【００２４】
請求項１３記載の発明は、請求項１０記載の画像管理システムに係り、前記携帯電話端末は、前記各撮像手段を操作するための複数の撮像操作子と、前記各撮像操作子のうちの前記撮像操作が行われたときに操作された前記撮像操作子を表す情報を前記設定された画像分類基準として前記情報サーバ装置へ送信する制御手段とが設けられ、前記情報サーバ装置の前記画像分類制御手段は、前記操作された撮像操作子を表す情報に基づいて前記画像データを分類して当該の前記データ記憶領域へ格納する構成とされていることを特徴としている。
【００２５】
請求項１４記載の発明は、請求項１０記載の画像管理システムに係り、前記携帯電話端末は、当該携帯電話端末の現在位置を検出する位置検出部と、該位置検出部で検出された当該携帯電話端末の現在位置を表す情報を前記設定された画像分類基準として前記情報サーバ装置へ送信する制御手段とが設けられ、前記情報サーバ装置の前記画像分類制御手段は、前記現在位置を表す情報に基づいて前記画像データを分類して当該の前記データ記憶領域へ格納する構成とされていることを特徴としている。
【００２６】
請求項１５記載の発明は、撮像操作が行われたときに画像を取り込む撮像手段を有し、該撮像手段で取り込まれた前記画像を画像データに変換する携帯電話端末に係り、前記撮像操作が行われたとき、前記画像データを予め設定された画像分類基準に基づいて分類して通信回線を介して該画像分類基準に対応するアドレスへ送信する構成とされていることを特徴としている。
【００２７】
請求項１６記載の発明は、画像管理方法に係り、撮像操作が行われたときに画像を取り込む撮像手段を有し、該撮像手段で取り込まれた前記画像を画像データに変換する携帯電話端末と、アドレスがそれぞれ割り付けられ、前記画像データを通信回線を介して受信して格納するための複数の画像データ格納手段とを備えてなる画像管理システムに用いられ、前記携帯電話端末で前記撮像操作が行われたとき、前記画像データを予め設定された画像分類基準に基づいて分類して前記各アドレスのうちの該画像分類基準に対応するアドレスへ送信する画像データ分類送信処理を行うことを特徴としている。
【００２８】
請求項１７記載の発明は、請求項１６記載の画像管理方法に係り、前記各画像データ格納手段を、ネットワークアドレスがそれぞれ割り付けられ、前記画像データを前記通信回線を介して受信して格納する情報サーバ装置で構成しておき、前記撮像操作が行われたとき、前記携帯電話端末が、前記画像データを予め設定された画像分類基準に基づいて分類して前記各ネットワークアドレスのうちの該画像分類基準に対応するネットワークアドレスへ送信する画像データ分類送信処理を行うことを特徴としている。
【００２９】
請求項１８記載の発明は、請求項１６記載の画像管理方法に係り、前記各画像データ格納手段を、前記画像データを前記通信回線を介して受信する情報サーバ装置に設けられ、該画像データを格納するデータ記憶領域で構成しておき、前記撮像操作が行われたとき、前記携帯電話端末が、前記画像データを予め設定された画像分類基準を付加して前記情報サーバ装置へ送信する画像データ送信処理と、前記情報サーバ装置が、前記画像データを前記画像分類基準に基づいて分類して該画像分類基準に対応する前記データ記憶領域へ格納する画像データ分類格納処理とを行うことを特徴としている。
【００３０】
請求項１９記載の発明は、画像管理制御プログラムに係り、コンピュータに請求項１乃至１４記載の画像管理システムの処理を実現させることを特徴としている。
【発明の効果】
【００３１】
この発明の構成によれば、撮像手段を有する携帯電話端末で撮影した画像を同携帯電話端末に記憶させるのではなく、通信回線を介して画像データ格納手段に格納するようにしたので、同携帯電話端末のメモリ容量に係わりなく撮影を行うことができ、また、複数の撮像手段の撮像能力による区分けや、第１の筐体と第２の筐体との係止状態による区分け、あるいは位置情報による区分けなど、撮影画像をユーザに設定された画像分類基準に従って分類することができるので、ユーザによる画像整理の手間なども大幅に省くことができる。また、携帯電話端末における撮影時の画像分類基準に従って情報サーバ装置で撮影画像を分類してデータ記憶領域へ格納するようにしたので、ユーザによる画像整理の手間を省くことができ、ユーザの利便性を向上できる。
【発明を実施するための最良の形態】
【００３２】
携帯電話端末の撮像手段で取り込まれた画像を予め設定された画像分類基準に基づいて分類し、複数の情報サーバ装置又は情報サーバ装置の複数の記憶領域に格納する画像管理システムを提供する。
【実施例１】
【００３３】
図１は、この発明の第１の実施例である画像管理システムの電気的構成を示すブロック図である。
この例の画像管理システムは、同図に示すように、携帯電話端末３１と、情報サーバ装置３２１，３２２，…，３２１６とを備え、これらが図示しないプロバイダを介してインターネットＮＷに接続されている。携帯電話端末３１は、撮像操作が行われたときに画像を取り込む撮像手段を有し、同撮像手段で取り込まれた画像を画像データに変換する。特に、この実施例では、携帯電話端末３１は、撮像操作が行われたとき、画像データを予め設定された画像分類基準に基づいて分類して情報サーバ装置３２１，３２２，…，３２１６の各ネットワークアドレスのうちの同設定された画像分類基準に対応するネットワークアドレスへ送信する。情報サーバ装置３２１，３２２，…，３２１６は、たとえばデータを格納して管理するサービス会社などに設置され、ネットワークアドレスがそれぞれ割り付けられ、携帯電話端末３１から送信された画像データをインターネットＮＷを介して受信して格納する。
【００３４】
図２は、図１中の携帯電話端末３１の電気的構成を示すブロック図である。
この携帯電話端末３１は、同図２に示すように、無線通信部４１と、アンテナ４１ａと、測位部４２と、第１カメラ部４３と、第２カメラ部４４と、主操作部４５と、副操作部４６と、送受話部４７と、マイク４７ａと、スピーカ（受話用）４７ｂと、スピーカ（報知用）４８と、主表示部４９と、副表示部５０と、変位検出部５１と、記憶部５２と、制御部５３とから構成され、たとえば折り畳み式の筐体を備えている。無線通信部４１は、図示しない受信回路、送信回路及び周波数シンセサイザなどを有し、アンテナ４１ａを介して図示しない無線基地局との間で電波Ｗを送受信する。測位部４２は、ＧＰＳ装置で構成され、携帯電話端末３１の位置情報を生成する。この位置情報は、少なくとも緯度及び経度を含んでいる。ＧＰＳ装置は、宇宙空間に位置する３機以上の衛星から発射された各信号電波を受波して同各信号電波の伝搬速度及び伝搬時間に基づいて同各衛星と携帯電話端末３１との間の距離を計測することにより、少なくとも緯度及び経度を含む同携帯電話端末３１の位置を測定し、位置情報を生成する。
【００３５】
第１カメラ部４３及び第２カメラ部４４は上記撮像手段であり、同第１カメラ部４３は上部筐体の内面側に配設され、同第２カメラ部４４が折り畳み式の上部筐体の外面側に配設されている。この第２カメラ部４４は、筐体の開閉状態に係わらず使用可能であり、第１カメラ部４３よりも撮像能力が高い。主操作部４５は、上部筐体に係合された下部筐体の内面側に配設され、各種情報の入力を行うためのテンキー、スクロールキー、決定キーなどから構成され、所定のキーが第１カメラ部４３の撮像操作子として動作する。副操作部４６は、下側筐体の側面に配設され、筐体の開閉状態に係わらず操作可能であり、所定のキーが第２カメラ部４４の撮像操作子として動作する。
【００３６】
マイク４７ａはユーザの音声を受けて送話を行い、スピーカ４７ｂは各種の情報に対応した音声を発生する。送受話部４７は、マイク４７ａから送出される信号に対して所定の音声信号処理を行うと共に、スピーカ４７ｂに対して音声信号を送出する。スピーカ４８は、報知音などを発生する。主表示部４９は、たとえば、上部筐体の内面側に配設された液晶表示装置などで構成され、相手先の電話番号情報やアイコン情報など、各種情報表示を行う。副表示部５０は、上部筐体の外面側に配設された液晶表示装置などで構成され、各種情報表示を行う。
【００３７】
変位検出部５１は、たとえば磁気センサなどで構成され、上部筐体に対する下部筐体の係止状態を検出する。特に、この実施例では、変位検出部５１は、上部筐体と下部筐体との変位位置（すなわち、開閉状態）を検出する。記憶部５２は、たとえばＲＡＭなどで構成され、電話帳情報、送受信メール情報、発着呼情報、各種設定情報などを記憶する。特に、この実施例では、記憶部５２は、撮像操作が行われるときの予め設定された複数の画像分類基準にそれぞれ対応付けて情報サーバ装置３２１，３２２，…，３２１６のネットワークアドレス（たとえば、メールアドレス）が記憶されている。
【００３８】
制御部５３は、携帯電話端末３１全体を制御するＣＰＵ（中央処理装置）５３ａ及び同ＣＰＵ５３ａを動作させるための画像管理制御プログラムが記録されたＲＯＭ（リード・オンリ・メモリ）５３ｂを有している。特に、この実施例では、制御部５３は、撮像操作が行われたとき、第１カメラ部４３又は第２カメラ部４４で取り込まれた画像に基づく画像データを、設定された画像分類基準に基づいて分類して同画像分類基準に対応するネットワークアドレス（メールアドレス）の情報サーバ装置３２１，３２２，…，３２１６へ電子メールとして送信する。また、制御部５３は、撮像操作が行われたときの上部筐体に対する下部筐体の係止状態の検出結果に基づいて上記画像データを分類する。
【００３９】
また、制御部５３は、第１カメラ部４３又は第２カメラ部４４のうちの撮像操作が行われたときに動作したカメラ部に基づいて画像データを分類する。また、制御部５３は、第１カメラ部４３又は第２カメラ部４４の撮像操作子のうちの撮像操作が行われたときに操作された撮像操作子に基づいて画像データを分類する。また、制御部５３は、測位部４２で検出された携帯電話端末３１の現在位置に基づいて画像データを分類する。また、制御部５３は、通話中であるか否かを検出する通話状態検出手段の機能を有し、通話中に撮像操作が行われたとき、ネットワークアドレスよりも通話先を優先して画像データを送信する。
【００４０】
図３及び図４は、図２の携帯電話端末３１が折り畳み式に構成されている場合の開状態を示す外観図であり、同図２は正面図、及び同図４が背面図である。
この携帯電話端末３１は、図３に示すように、上部筐体６１と、下部筐体６２と、ヒンジ部６３とを備えている。上部筐体６１は、前面に第１カメラ部４３、スピーカ（受話用）４７ｂ、及び主表示部４９を備えている。下部筐体６２は、前面に主操作部４５（決定ボタン部）、主操作部４５（テンキーボタン部）、副操作部（サイドボタン部）４６、マイク４７ａ、及びスピーカ４８を備えている。また、図４に示すように、上部筐体６１は、背面に第２カメラ部４４及び副表示部５０が組み込まれている。そして、上部筐体６１の前面と下部筐体６２の前面とが向かい合う態様で同上部筐体６１と同下部筐体６２とがヒンジ部６３を介して折り畳まれるように構成されている。
【００４１】
図５は、図２の携帯電話端末３１の動作を説明するフローチャートである。
この図を参照して、この例の画像管理システムに用いられる画像管理方法の処理内容について説明する。
携帯電話端末３１は、マルチタスク機能を備えており、通話、カメラ撮影、電子メールなどの処理を同時に実行可能なものである。携帯電話端末３１のユーザが第１カメラ部４３又は第２カメラ部４４による撮影を行うと、制御部５３で同携帯電話端末３１が通話中であるか否かが判定される（ステップＡ１〜Ａ２）。通話中であると判定された場合には、制御部５３は相手先電話番号を基に記憶部５２の電話帳を検索してメールアドレスを取得し（ステップＡ３〜Ａ４）、同メールアドレス宛の電子メールを作成すると共に撮影画像を添付し（ステップＡ５）、ユーザの主操作部４５を介したメール送信操作入力によりメール送信を行う（ステップＡ６〜Ａ７）。
【００４２】
ステップＡ２で通話中でないと判定された場合、制御部５３は、予め登録された設定（画像送信設定情報）に従ってメールアドレス（１），（２）を取得する（ステップＡ９、Ａ１３）。すなわち、制御部５３は、予め記憶部５２に登録された設定として、たとえば、第１カメラ部４３による撮影か第２カメラ部４４による撮影か、あるいは主操作部（決定ボタン部）４５による撮影指示か副操作部４６による撮影指示か、あるいは上部筐体６１と下部筐体６２とが開状態か閉状態か、あるいは位置情報（たとえば、自宅近辺かそれ以外）を判定し、この判定結果（この実施例では、たとえば２４＝１６通り）に応じて撮影画像の送付先を選択する（ステップＡ８〜Ａ９，Ａ１３）。次に、制御部５３は、当該メールアドレス宛の電子メールを作成すると共に撮影画像を添付し（ステップＡ１０、Ａ１４）、ユーザのメール送信操作入力によりメール送信を行う（ステップＡ１１〜Ａ１２、Ａ１５〜Ａ１６、画像データ分類送信処理）。メール送信された画像は、情報サーバ装置３２１，３２２，…，３２１６のうちの設定された情報サーバ装置に送付されて格納される。
【００４３】
以上のように、この第１の実施例では、カメラ付きの携帯電話端末３１で撮影した画像を同携帯電話端末３１に記憶させるのではなく、インターネットＮＷ経由で情報サーバ装置３２１，３２２，…，３２１６のうちの設定された情報サーバ装置に自動送信するようにしたので、同携帯電話端末３１のメモリ容量に係わりなく撮影を行うことができ、また、第１カメラ部４３及び第２カメラ部４４の撮像能力による区分けや、上部筐体６１と下部筐体６２との開閉状態による区分け、あるいは位置情報（プライベートで撮影した画像、旅行中に撮影した画像など）による区分けなど、撮影画像をユーザの設定に従って分類することができるので、ユーザの画像整理の手間なども大幅に省くことができる。
【実施例２】
【００４４】
図６は、この発明の第２の実施例である画像管理システムの電気的構成を示すブロック図である。
この例の画像管理システムは、同図に示すように、携帯電話端末３１Ａと、情報サーバ装置３２Ａとを備え、これらが図示しないプロバイダを介してインターネットＮＷに接続されている。携帯電話端末３１Ａは、図２の携帯電話端末３１の機能に加え、撮像操作が行われたとき、画像データを予め設定された画像分類基準を付加して情報サーバ装置３２Ａへ送信する機能を有している。情報サーバ装置３２Ａは、たとえばデータを格納して管理するサービス会社などに設置され、同情報サーバ装置３２Ａ全体を制御するＣＰＵ（中央処理装置）３２ａ及び同ＣＰＵ３２ａを動作させるための画像管理制御プログラムが記録されたＲＯＭ（リード・オンリ・メモリ）３２ｂを有している。特に、この実施例では、情報サーバ装置３２Ａは、アドレスがそれぞれ割り付けられたフォルダ７１１，７１２，…，７１１６、及び利用者情報記憶部７２が設けられ、携帯電話端末３１Ａから送信された画像データを同利用者情報記憶部７２に記憶されている画像分類基準に基づいて分類して同画像分類基準に対応するデータ記憶領域であるフォルダへ格納する。利用者情報記憶部７２に記憶されている画像分類基準は、予め携帯電話端末３１Ａのユーザによって設定登録されている。
【００４５】
この場合、情報サーバ装置３２Ａは、たとえば、携帯電話端末３１Ａで撮像操作が行われたときの上部筐体６１に対する下部筐体６２の係止状態の検出結果に基づいて画像データを分類する。また、情報サーバ装置３２Ａは、携帯電話端末３１Ａで第１カメラ部４３又は第２カメラ部４４のうちの撮像操作が行われたときに動作したカメラ部に基づいて画像データを分類する。また、情報サーバ装置３２Ａは、携帯電話端末３１Ａで第１カメラ部４３又は第２カメラ部４４の撮像操作子のうちの撮像操作が行われたときに操作された撮像操作子に基づいて画像データを分類する。また、情報サーバ装置３２Ａは、携帯電話端末３１Ａの測位部４２で検出された携帯電話端末３１の現在位置に基づいて画像データを分類する。
【００４６】
図７は、図６中の情報サーバ装置３２Ａの動作を説明するフローチャートである。
この図を参照して、この例の画像管理システムに用いられる画像管理方法の処理内容について説明する。
すなわち、携帯電話端末３１Ａで画像が撮影されたとき、制御部５３により情報サーバ装置３２Ａ宛の電子メールが自動作成され、撮影時の画像分類基準が記録された撮像画像が電子メールに添付されて送信される（画像データ送信処理）。情報サーバ装置３２Ａで撮影画像が受信されたとき（ステップＢ１）、ＣＰＵ３２ａにより、同撮影画像に携帯電話端末３１Ａにおける撮影時の画像分類基準（端末情報）が記録されているか否かが判定される（ステップＢ２）。
【００４７】
たとえば、情報サーバ装置３２ＡのＣＰＵ３２ａは、端末情報として、撮影時のカメラ（第１カメラ部４３又は第２カメラ部４４）、主操作部（決定ボタン部）４５による撮影指示又は副操作部４６による撮影指示、上部筐体６１と下部筐体６２との開閉状態、位置情報（プライベートで撮影した画像、旅行中に撮影した画像など）などが記録されていた場合は、利用者情報記憶部７２に記憶された画像分類基準に基づいて撮影画像をフォルダ７１１，７１２，…，７１１６に分類格納する（ステップＢ３、Ｂ４〜Ｂ５、Ｂ６、Ｂ７、画像データ分類格納処理）。
【００４８】
以上のように、この第２の実施例では、携帯電話端末３１Ａにおける撮影時の画像分類基準に従って情報サーバ装置３２Ａで撮影画像を分類するようにしたので、ユーザが画像整理の手間を省くことができ、ユーザの利便性が向上する。
【００４９】
以上、この発明の実施例を図面により詳述してきたが、具体的な構成はこの実施例に限られるものではなく、この発明の要旨を逸脱しない範囲の設計の変更などがあっても、この発明に含まれる。
たとえば、携帯電話端末３１は、折り畳み式の筐体に限らず、リボルバー型（回転型）、あるいは、スライド型でも良い。また、第１の実施例では、１６通りの判定結果に応じて、画像を情報サーバ装置３２１，３２２，…，３２１６に個別に分類格納するようにしたが、同判定結果のうちの２つ以上に対応する画像をまとめて１つの情報サーバ装置に格納しても良い。同様に、第２の実施例でも、２つ以上の画像分類基準に対応する画像をまとめて１つのフォルダに格納しても良い。
【００５０】
また、図２中の記憶部５２に記憶される画像分類基準としては、たとえば、撮影年月日時、季節、曜日、日祭日、日祭土、平日、休日、平日、午前、午後、昼／夜、時間帯などによって分類しても良い。また、これらの画像分類基準は、ユーザ（撮影者）が撮影の度（たとえば、撮影後の一定時間内）に切換え設定するようにしても良い。また、位置情報は、上記実施例では自宅近辺かそれ以外としたが、地域区分（たとえば、北海道、本州、四国、九州、沖縄、その他の島、地方、県など）や、撮影者の任意設定による地域区分としても良い。また、図４中の上部筐体６１には、背面に第２カメラ部４４及び副表示部５０が組み込まれているが、同第２カメラ部４４を下部筐体６２の背面に組み込んでも良い。この場合、上部筐体６１と下部筐体６２とが閉状態とされ、かつ副表示部５０がファインダとして用いられ、ユーザが携帯電話端末を両手で保持した姿勢で撮影が行われる。
【産業上の利用可能性】
【００５１】
たとえば、ユーザがカメラ付きの携帯電話端末を携行して長期間旅行する場合などに、撮影された画像を格納して管理するサービス業に適用できる。
【図面の簡単な説明】
【００５２】
【図１】この発明の第１の実施例である画像管理システムの電気的構成を示すブロック図である。
【図２】図１中の携帯電話端末３１の電気的構成を示すブロック図である。
【図３】図２の携帯電話端末３１の外観図である。
【図４】図２の携帯電話端末３１の外観図である。
【図５】図２の携帯電話端末３１の動作を説明するフローチャートである。
【図６】この発明の第２の実施例である画像管理システムの電気的構成を示すブロック図である。
【図７】図６中の情報サーバ装置３２Ａの動作を説明するフローチャートである。
【図８】従来の携帯電話端末の電気的構成を示すブロック図である。
【図９】図８の携帯電話端末１０の外観図である。
【図１０】図８の携帯電話端末１０の外観図である。
【符号の説明】
【００５３】
３１，３１Ａ      携帯電話端末
３２１，３２２，…，３２１６，３２Ａ      情報サーバ装置（画像データ格納手段）
３２ａ      ＣＰＵ（中央処理装置、画像分類制御手段）
３２ｂ      ＲＯＭ（リード・オンリ・メモリ）
４１      無線通信部（携帯電話端末の一部）
４１ａ      アンテナ（携帯電話端末の一部）
４２      測位部（位置検出部、携帯電話端末の一部）
４３      第１カメラ部（撮像手段、携帯電話端末の一部）
４４      第２カメラ部（撮像手段、携帯電話端末の一部）
４５      主操作部（携帯電話端末の一部）
４６      副操作部（携帯電話端末の一部）
４７      送受話部（携帯電話端末の一部）
４７ａ      マイク（携帯電話端末の一部）
４７ｂ，４８      スピーカ（携帯電話端末の一部）
４９      主表示部（携帯電話端末の一部）
５０      副表示部（携帯電話端末の一部）
５１      変位検出部（筺体状態検出部）
５２      記憶部（記憶手段、携帯電話端末の一部）
５３      制御部（制御手段、携帯電話端末の一部）
５３ａ      ＣＰＵ（中央処理装置）（制御手段、携帯電話端末の一部）
５３ｂ      ＲＯＭ（リード・オンリ・メモリ）（制御手段、携帯電話端末の一部）
６１      上部筐体
６２      下部筐体
６３      ヒンジ部
７１１，７１２，…，７１１６      フォルダ（画像データ格納手段、データ記憶領域）
７２      利用者情報記憶部（情報サーバ装置の一部）
ＮＷ      インターネット
【図１】
2005165499.tif 000003
【図２】
2005165499.tif 000004
【図３】
2005165499.tif 000005
【図４】
2005165499.tif 000006
【図５】
2005165499.tif 000007
【図６】
2005165499.tif 000008
【図７】
2005165499.tif 000009
【図８】
2005165499.tif 000010
【図９】
2005165499.tif 000011
【図１０】
2005165499.tif 000012